【手続補正書】
【提出日】令和3年4月14日(2021.4.14)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器（ＵＥ）によってパターンを識別することと、前記パターンが、前記ＵＥの少なくとも１つのバッテリーの電圧が電圧ドループから回復するバッテリー回復時間期間を識別し、前記パターンが、対応する時間期間を有するＵＥモードのシーケンスを含み、ＵＥモードの前記シーケンスが、異なる時間期間中に前記少なくとも１つのバッテリーに異なる負荷を生じさせる、
前記パターンに少なくとも部分的に基づいて前記ＵＥによって前記バッテリー回復時間期間を構成することと、
前記パターンに少なくとも部分的に基づいて前記ＵＥによって基地局と通信することと
を備える方法。
【請求項２】
前記パターンが、異なるバッテリー回復時間期間を含む複数のパターンから選択される、請求項１に記載の方法。
【請求項３】
前記パターンが前記ＵＥによって要求される、請求項１に記載の方法。
【請求項４】
前記パターンが前記基地局によって前記ＵＥに示される、請求項１に記載の方法。
【請求項５】
前記パターンが、
システム情報ブロック、
無線リソース制御シグナリングメッセージ、または
それらの組合せのうちの少なくとも１つの中で前記ＵＥに示される、
請求項１に記載の方法。
【請求項６】
前記パターンが、前記ＵＥに関連する１つまたは複数のパラメータに少なくとも部分的に基づいて識別される、請求項１に記載の方法。
【請求項７】
前記１つまたは複数のパラメータが、
前記ＵＥに関連する送信電力、
前記ＵＥの１つまたは複数の通信に関連するペイロードサイズ、
前記ＵＥの１つまたは複数の通信の送信の長さ、
前記ＵＥに関連する反復の回数、
前記少なくとも１つのバッテリーの特性、
前記少なくとも１つのバッテリーに関連する１つまたは複数の測定値に少なくとも部分的に基づいて決定される、前記少なくとも１つのバッテリーのバッテリーパラメータ、
前記ＵＥのモビリティ特性、
前記ＵＥの能力、
前記ＵＥのカテゴリー、または
それらの組合せのうちの少なくとも１つを含む、
請求項６に記載の方法。
【請求項８】
前記少なくとも１つのバッテリーの前記特性が、
前記少なくとも１つのバッテリーのピーク電流、
前記少なくとも１つのバッテリーに関連する前記電圧ドループ、
前記少なくとも１つのバッテリーに関連する電圧降下、
前記少なくとも１つのバッテリーの残り容量、
前記ＵＥの中に含まれるバッテリーの個数、
前記少なくとも１つのバッテリーが非充電式バッテリーであるのかそれとも充電式バッテリーであるのか、
前記少なくとも１つのバッテリーの回復負荷に関するバッテリー回復特性、または
それらの組合せのうちの少なくとも１つを含む、
請求項７に記載の方法。
【請求項９】
前記１つまたは複数のパラメータが、電力ヘッドルーム報告または帯域内シグナリングに関連して前記基地局に報告される、請求項６に記載の方法。
【請求項１０】
前記パターンが、前記１つまたは複数のパラメータに少なくとも部分的に基づいて前記基地局によって前記ＵＥに示される、請求項６に記載の方法。
【請求項１１】
前記パターンが、
前記ＵＥが通信を受信することが許容されるが通信を送信することは許容されない第１の時間期間、
前記ＵＥが通信を送信することが許容されるが通信を受信することは許容されない第２の時間期間、
前記ＵＥが通信を送信および受信することが許容される第３の時間期間、
前記ＵＥがセル探索を実行することが許容される第４の時間期間、
前記ＵＥのウェイク期間に対応する第５の時間期間、
前記ＵＥのスリープ期間に対応する第６の時間期間、
前記ＵＥの性能を改善することに関連するアクティビティに対応する第７の時間期間、または
それらの組合せのうちの少なくとも１つを示す、
請求項１に記載の方法。
【請求項１２】
前記ＵＥが半二重モードで通信するように構成された後、前記バッテリー回復時間期間が前記パターンを使用して構成される、請求項１に記載の方法。
【請求項１３】
前記電圧ドループがしきい値を満足するという決定に少なくとも部分的に基づいて、前記ＵＥが前記半二重モードで通信するように構成される、請求項１２に記載の方法。
【請求項１４】
ワイヤレス通信のためのユーザ機器（ＵＥ）であって、
メモリと、
前記メモリに結合された１つまたは複数のプロセッサとを備え、前記メモリおよび前記１つまたは複数のプロセッサが、
パターンを識別し、ここにおいて、前記パターンが、前記ＵＥの少なくとも１つのバッテリーの電圧が電圧ドループから回復するバッテリー回復時間期間を識別し、前記パターンが、対応する時間期間を有するＵＥモードのシーケンスを含み、ＵＥモードの前記シーケンスが、異なる時間期間中に前記少なくとも１つのバッテリーに異なる負荷を生じさせる、
前記パターンに少なくとも部分的に基づいて前記バッテリー回復時間期間を構成し、
前記パターンに少なくとも部分的に基づいて基地局と通信するように構成される、
ユーザ機器。
【請求項１５】
前記パターンが、
異なるバッテリー回復時間期間を含む複数のパターンからの選択、
前記ＵＥによる要求、
前記基地局から前記ＵＥによって受信される表示、または
それらの組合せのうちの１つまたは複数に少なくとも部分的に基づいて識別される、
請求項１４に記載のＵＥ。
【手続補正２】
【補正対象書類名】明細書
【補正対象項目名】０１１５
【補正方法】変更
【補正の内容】
【０１１５】
[00120]以上の説明は、本明細書で説明した様々な態様を当業者が実践することが可能となるように提供される。これらの態様の様々な修正が当業者には容易に明らかであり、本明細書で定義する一般原理は他の態様に適用され得る。したがって、特許請求の範囲は、本明細書で示した態様に限定されるものではなく、クレーム文言に一致する最大の範囲が与えられるべきであり、単数形での要素への言及は、そのように明記されていない限り、「唯一無二の」を意味するものではなく、「１つまたは複数の」を意味するものである。「例示的」という語は、「例、事例、または例示の働きをすること」を意味するために本明細書で使用される。「例示的」として本明細書で説明したいかなる態様も、必ずしも他の態様よりも好適または有利なものと解釈すべきではない。別段に明記されていない限り、「いくつかの」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含んでよい。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであってよく、ここで、任意のそのような組合せは、Ａ、Ｂ、またはＣのうちの１つまたは複数のメンバを含んでよい。当業者に知られているかまたは後で知られることになる、本開示全体にわたって説明した様々な態様の要素に対するすべての構造的および機能的な均等物は、参照により本明細書に明確に組み込まれ、特許請求の範囲によって包含されることを意図する。その上、本明細書で開示するいかなることも、そのような開示が特許請求の範囲に明示的に記載されているかどうかにかかわらず、公に供するものではない。いかなるクレーム要素も、その要素が「のための手段」という句を使用して明確に記載されていない限り、ミーンズプラスファンクションとして解釈されるべきではない。
以下に本願の出願当初の特許請求の範囲に記載された発明を付記する。
[Ｃ１]  ワイヤレス通信の方法であって、
ユーザ機器（ＵＥ）によってパターンを識別することと、前記パターンが、前記ＵＥの少なくとも１つのバッテリーの電圧が電圧ドループから回復するバッテリー回復時間期間を識別する、
前記パターンに少なくとも部分的に基づいて前記ＵＥによって前記バッテリー回復時間期間を構成することと、
前記パターンに少なくとも部分的に基づいて前記ＵＥによって基地局と通信することと  を備える方法。
[Ｃ２]  前記パターンが、異なるバッテリー回復時間期間を含む複数のパターンから選択される、Ｃ１に記載の方法。
[Ｃ３]  前記パターンが前記ＵＥによって要求される、Ｃ１に記載の方法。
[Ｃ４]  前記パターンが前記基地局によって前記ＵＥに示される、Ｃ１に記載の方法。
[Ｃ５]  前記パターンが、
システム情報ブロック、
無線リソース制御シグナリングメッセージ、または
それらの組合せのうちの少なくとも１つの中で前記ＵＥに示される、
Ｃ１に記載の方法。
[Ｃ６]  前記パターンが、前記ＵＥに関連する１つまたは複数のパラメータに少なくとも部分的に基づいて識別される、Ｃ１に記載の方法。
[Ｃ７]  前記１つまたは複数のパラメータが、
前記ＵＥに関連する送信電力、
前記ＵＥの１つまたは複数の通信に関連するペイロードサイズ、
前記ＵＥの１つまたは複数の通信の送信の長さ、
前記ＵＥに関連する反復の回数、
前記少なくとも１つのバッテリーの特性、
前記少なくとも１つのバッテリーに関連する１つまたは複数の測定値に少なくとも部分的に基づいて決定される、前記少なくとも１つのバッテリーのバッテリーパラメータ、  前記ＵＥのモビリティ特性、
前記ＵＥの能力、
前記ＵＥのカテゴリー、または
それらの組合せのうちの少なくとも１つを含む、
Ｃ６に記載の方法。
[Ｃ８]  前記少なくとも１つのバッテリーの前記特性が、
前記少なくとも１つのバッテリーのピーク電流、
前記少なくとも１つのバッテリーに関連する前記電圧ドループ、
前記少なくとも１つのバッテリーに関連する電圧降下、
前記少なくとも１つのバッテリーの残り容量、
前記ＵＥの中に含まれるバッテリーの個数、
前記少なくとも１つのバッテリーが非充電式バッテリーであるのかそれとも充電式バッテリーであるのか、
前記少なくとも１つのバッテリーの回復負荷に関するバッテリー回復特性、または
それらの組合せのうちの少なくとも１つを含む、
Ｃ７に記載の方法。
[Ｃ９]  前記１つまたは複数のパラメータが、電力ヘッドルーム報告または帯域内シグナリングに関連して前記基地局に報告される、Ｃ６に記載の方法。
[Ｃ１０]  前記パターンが、前記１つまたは複数のパラメータに少なくとも部分的に基づいて前記基地局によって前記ＵＥに示される、Ｃ６に記載の方法。
[Ｃ１１]  前記パターンが、
前記ＵＥが通信を受信することが許容されるが通信を送信することは許容されない第１の時間期間、
前記ＵＥが通信を送信することが許容されるが通信を受信することは許容されない第２の時間期間、
前記ＵＥが通信を送信および受信することが許容される第３の時間期間、
前記ＵＥがセル探索を実行することが許容される第４の時間期間、
前記ＵＥのウェイク期間に対応する第５の時間期間、
前記ＵＥのスリープ期間に対応する第６の時間期間、
前記ＵＥの性能を改善することに関連するアクティビティに対応する第７の時間期間、または
それらの組合せのうちの少なくとも１つを示す、
Ｃ１に記載の方法。
[Ｃ１２]  前記ＵＥが半二重モードで通信するように構成された後、前記バッテリー回復時間期間が前記パターンを使用して構成される、Ｃ１に記載の方法。
[Ｃ１３]  前記電圧ドループがしきい値を満足するという決定に少なくとも部分的に基づいて、前記ＵＥが前記半二重モードで通信するように構成される、Ｃ１２に記載の方法。
[Ｃ１４]  ワイヤレス通信の方法であって、
ユーザ機器（ＵＥ）の少なくとも１つのバッテリーの特性を前記ＵＥによって識別することと、
前記特性、および１つまたは複数の通信のために前記ＵＥによって使用されるべき送信電力に少なくとも部分的に基づいて、前記ＵＥによって半二重モードまたは全二重モードを構成することと、
前記半二重モードまたは前記全二重モードを構成することに少なくとも部分的に基づいて、前記ＵＥによって前記半二重モードまたは前記全二重モードを使用して前記１つまたは複数の通信を送信することと
を備える方法。
[Ｃ１５]  前記送信電力がしきい値を満足するときに前記半二重モードが構成され、または前記送信電力が前記しきい値を満足しないときに前記全二重モードが構成される、Ｃ１４に記載の方法。
[Ｃ１６]  前記しきい値が、基地局によって前記ＵＥに示されるか、または前記少なくとも１つのバッテリーの前記特性に少なくとも部分的に基づいて前記ＵＥによって決定される、Ｃ１５に記載の方法。
[Ｃ１７]  前記少なくとも１つのバッテリーの前記特性が、
前記少なくとも１つのバッテリーのピーク電流、
前記少なくとも１つのバッテリーに関連する電圧ドループ、
前記少なくとも１つのバッテリーに関連する電圧降下、
前記少なくとも１つのバッテリーの残り容量、
前記ＵＥの中に含まれるバッテリーの個数、
前記少なくとも１つのバッテリーが非充電式バッテリーであるのかそれとも充電式バッテリーであるのか、
前記少なくとも１つのバッテリーの回復負荷に関するバッテリー回復特性、または
それらの組合せのうちの少なくとも１つを含む、
Ｃ１４に記載の方法。
[Ｃ１８]  ワイヤレス通信のためのユーザ機器（ＵＥ）であって、
メモリと、
前記メモリに結合された１つまたは複数のプロセッサとを備え、前記メモリおよび前記１つまたは複数のプロセッサが、
パターンを識別し、ここにおいて、前記パターンが、前記ＵＥの少なくとも１つのバッテリーの電圧が電圧ドループから回復するバッテリー回復時間期間を識別する、
前記パターンに少なくとも部分的に基づいて前記バッテリー回復時間期間を構成し、    前記パターンに少なくとも部分的に基づいて基地局と通信するように構成される、  ユーザ機器。
[Ｃ１９]  前記パターンが、
異なるバッテリー回復時間期間を含む複数のパターンからの選択、
前記ＵＥによる要求、
前記基地局から前記ＵＥによって受信される表示、または
それらの組合せのうちの１つまたは複数に少なくとも部分的に基づいて識別される、  Ｃ１８に記載のＵＥ。
[Ｃ２０]  前記パターンが、
システム情報ブロック、
無線リソース制御シグナリングメッセージ、または
それらの組合せのうちの少なくとも１つの中で前記ＵＥに示される、
Ｃ１８に記載のＵＥ。
[Ｃ２１]  前記パターンが、１つまたは複数のパラメータに少なくとも部分的に基づいて識別され、ここにおいて、前記１つまたは複数のパラメータが、
前記ＵＥに関連する送信電力、
前記ＵＥの１つまたは複数の通信に関連するペイロードサイズ、
前記ＵＥの１つまたは複数の通信の送信の長さ、
前記ＵＥに関連する反復の回数、
前記少なくとも１つのバッテリーに関連する１つまたは複数の測定値に少なくとも部分的に基づいて決定される、前記少なくとも１つのバッテリーのバッテリーパラメータ、  前記ＵＥのモビリティ特性、
前記ＵＥの能力、
前記ＵＥのカテゴリー、
前記少なくとも１つのバッテリーのピーク電流、
前記少なくとも１つのバッテリーに関連する前記電圧ドループ、
前記少なくとも１つのバッテリーに関連する電圧降下、
前記少なくとも１つのバッテリーの残り容量、
前記ＵＥの中に含まれるバッテリーの個数、
前記少なくとも１つのバッテリーが非充電式バッテリーであるのかそれとも充電式バッテリーであるのか、
前記少なくとも１つのバッテリーの回復負荷に関するバッテリー回復特性、または
それらの組合せのうちの少なくとも１つを含む、
Ｃ１８に記載のＵＥ。
[Ｃ２２]  前記１つまたは複数のパラメータが、電力ヘッドルーム報告または帯域内シグナリングに関連して前記基地局に報告される、Ｃ２１に記載のＵＥ。
[Ｃ２３]  前記パターンが、前記１つまたは複数のパラメータに少なくとも部分的に基づいて前記基地局によって前記ＵＥに示される、Ｃ２１に記載のＵＥ。
[Ｃ２４]  前記パターンが、
前記ＵＥが通信を受信することが許容されるが通信を送信することは許容されない第１の時間期間、
前記ＵＥが通信を送信することが許容されるが通信を受信することは許容されない第２の時間期間、
前記ＵＥが通信を送信および受信することが許容される第３の時間期間、
前記ＵＥがセル探索を実行することが許容される第４の時間期間、
前記ＵＥのウェイク期間に対応する第５の時間期間、
前記ＵＥのスリープ期間に対応する第６の時間期間、
前記ＵＥの性能を改善することに関連するアクティビティに対応する第７の時間期間、または
それらの組合せのうちの少なくとも１つを示す、
Ｃ１８に記載のＵＥ。
[Ｃ２５]  前記ＵＥが半二重モードで通信するように構成された後、前記バッテリー回復時間期間が前記パターンを使用して構成される、Ｃ１８に記載のＵＥ。
[Ｃ２６]  前記電圧ドループがしきい値を満足するという決定に少なくとも部分的に基づいて、前記ＵＥが前記半二重モードで通信するように構成される、Ｃ２５に記載のＵＥ。
[Ｃ２７]  ワイヤレス通信のためのユーザ機器（ＵＥ）であって、
メモリと、
前記メモリに結合された１つまたは複数のプロセッサとを備え、前記メモリおよび前記１つまたは複数のプロセッサが、
前記ＵＥの少なくとも１つのバッテリーの特性を識別し、
前記特性、および１つまたは複数の通信のために前記ＵＥによって使用されるべき送信電力に少なくとも部分的に基づいて、半二重モードまたは全二重モードを構成し、
前記半二重モードまたは前記全二重モードを構成することに少なくとも部分的に基づいて、前記半二重モードまたは前記全二重モードを使用して前記１つまたは複数の通信を送信するように構成される、
ユーザ機器。
[Ｃ２８]  前記送信電力がしきい値を満足するときに前記半二重モードが構成され、または前記送信電力が前記しきい値を満足しないときに前記全二重モードが構成される、Ｃ２７に記載のＵＥ。
[Ｃ２９]  前記しきい値が、基地局によって前記ＵＥに示されるか、または前記少なくとも１つのバッテリーの前記特性に少なくとも部分的に基づいて前記ＵＥによって決定される、Ｃ２８に記載のＵＥ。
[Ｃ３０]  前記少なくとも１つのバッテリーの前記特性が、
前記少なくとも１つのバッテリーのピーク電流、
前記少なくとも１つのバッテリーに関連する電圧ドループ、
前記少なくとも１つのバッテリーに関連する電圧降下、
前記少なくとも１つのバッテリーの残り容量、
前記ＵＥの中に含まれるバッテリーの個数、
前記少なくとも１つのバッテリーが非充電式バッテリーであるのかそれとも充電式バッテリーであるのか、
前記少なくとも１つのバッテリーの回復負荷に関するバッテリー回復特性、または
それらの組合せのうちの少なくとも１つを含む、
Ｃ２７に記載のＵＥ。